(57)【要約】【課題】他装置が磁気ノイズを発生した場合にも紙葉類における磁気的特性をより精度高く特定できる磁気検出装置及び紙葉類処理装置を提供することである。【解決手段】実施形態の磁気検出装置は、複数個の感磁部を並べた磁気センサヘッドと、環境磁気補正部とを備える。複数個の感磁部を並べた磁気センサヘッドは、紙葉類が通過する領域に、前記紙葉類が移動する方向に対して直交する方向に、前記紙葉類の幅よりも長く一列に配置される。環境磁気補正部は、前記紙葉類が通過する領域の内側に位置する前記感磁部が出力する第一の出力信号を検出する第一の磁気検出部と、前記紙葉類が通過する領域の外側のどちらか一方または両方に位置する前記感磁部が出力する第二の出力信号を検出する第二の磁気検出部と、この第二の出力信号に基づいて、前記第一の出力信号を補正する補正部とを有する。【選択図】図１
2015034794.tif 000002
【特許請求の範囲】
【請求項１】
紙葉類が通過する領域に、前記紙葉類が移動する方向に対して直交する方向に、前記紙葉類の幅よりも長く一列に配置される複数個の感磁部を並べた磁気センサヘッドと、
前記紙葉類が通過する領域の内側に位置する前記感磁部が出力する第一の出力信号を検出する第一の磁気検出部と、前記紙葉類が通過する領域の外側のどちらか一方または両方に位置する前記感磁部が出力する第二の出力信号を検出する第二の磁気検出部と、この第二の出力信号に基づいて、前記第一の出力信号を補正する補正部とを有する環境磁気補正部と、
を備えることを特徴とする磁気検出装置。
【請求項２】
前記感磁部の感磁面は、同一面上、かつ一直線上に形成される
ことを特徴とする請求項１に記載の磁気検出装置。
【請求項３】
前記環境磁気補正部は、
互いに隣接する前記感磁部から、前記第一の出力信号及び前記第二の出力信号を取得する
ことを特徴とする請求項１または請求項２に記載の磁気検出装置。
【請求項４】
前記環境磁気補正部は、
前記第二の出力信号を時間軸方向に対する急激な変化を取り除く処理を行った処理結果に基づいて、前記第一の出力信号を補正する
ことを特徴とする請求項１から請求項３の何れか１項に記載の磁気検出装置。
【請求項５】
前記環境磁気補正部は、
複数の前記第二の出力信号を時間軸方向に対する急激な変化を取り除く処理を行い、当該複数の第二の出力信号の数に基づいて平均化した処理結果に基づいて、前記第一の出力信号を補正する
ことを特徴とする請求項１から請求項３の何れか１項に記載の磁気検出装置。
【請求項６】
前記環境磁気補正部は、
前記複数の第二の出力信号を線形近似することによって得られる磁気ノイズの勾配に基づいて、前記前記第一の出力信号を補正する
ことを特徴とする請求項４または請求項５に記載の磁気検出装置。
【請求項７】
前記環境磁気補正部は、
前記紙葉類の通過位置に基づいて、前記第二の出力信号を取得する前記感磁部を選択する
ことを特徴とする請求項１から請求項６の何れか１項に記載の磁気検出装置。
【請求項８】
紙葉類が通過する領域に、前記紙葉類が移動する方向に対して直交する方向に、前記紙葉類の幅よりも長く一列に配置される複数個の感磁部を並べた磁気センサヘッドと、
前記紙葉類が通過する領域の内側に位置する前記感磁部が出力する第一の出力信号を検出する第一の磁気検出部と、前記紙葉類が通過する領域の外側のどちらか一方または両方に位置する前記感磁部が出力する第二の出力信号を検出する第二の磁気検出部と、この第二の出力信号に基づいて、前記第一の出力信号を補正する補正部とを有する環境磁気補正部と、
を備える磁気検出装置と、
前記磁気検出装置の出力に基づいて紙葉類の真偽を判定する真偽判定装置と、
前記真偽判定装置の出力に基づいて紙葉類を区分する区分制御部と、
を備えることを特徴とする紙葉類処理装置。
【請求項９】
紙葉類が通過する領域に、前記紙葉類が移動する方向に対して直交する方向に、前記紙葉類の幅よりも長く一列に配置される複数個の感磁部を並べた磁気センサヘッドと、
前記紙葉類が通過する領域の内側に位置する前記感磁部が出力する第一の出力信号を、前記紙葉類が通過する領域の外側のどちらか一方または両方に位置する前記感磁部が出力する第二の出力信号に基づいて補正する環境磁気補正部と、
を備えることを特徴とする磁気検出装置。
【発明の詳細な説明】
【技術分野】
【０００１】
本発明の実施形態は、磁気検出装置及び紙葉類処理装置に関する。
【背景技術】
【０００２】
現在、世界の多くの国で紙幣などの紙葉類が印刷されている。紙幣などの有価証券の偽造を防止する技術の１つとして、磁気インクを用いた印刷技術が存在する。そして、磁気インクを用いた印刷技術で印刷した有価証券における磁気的特性を読み取るための技術が存在する（例えば、特許文献１又は２参照）。
【先行技術文献】
【特許文献】
【０００３】
【特許文献１】特許第４８４１６６２号公報
【特許文献２】特許第２５８５５５８号公報
【発明の概要】
【発明が解決しようとする課題】
【０００４】
ところで、有価証券等の紙葉類の磁気的特性を読み取るような磁気検出装置は、様々な装置の中に組み込まれた状態でその紙葉類の磁気的特性を検出する必要がある。例えば、磁気検出装置は紙幣の真偽を判定する紙葉類処理装置に組み込まれ、紙幣における磁気的特性を検出する。
【０００５】
紙葉類処理装置では、例えば、回転動力や空気循環などの目的で用いられる交流モータや、交流電圧から直流電圧を生成する際に使用する電源トランスなど、多数の電装品が配置されている。これらの電装品は、それらの動作原理により磁気ノイズを電装品の外部に放出している。
そのため、紙葉類処理装置に組み込まれた磁気検出装置における感磁部は、紙葉類の磁気的特性と共に、電装品の発生する磁気などの周辺環境磁界を検出する場合がある。
【０００６】
本発明が解決しようとする課題は、電装品が磁気ノイズを発生した場合にも紙葉類における磁気的特性をより精度高く検出できる磁気検出装置及び紙葉類処理装置を提供することである。
【課題を解決するための手段】
【０００７】
実施形態の磁気検出装置は、複数個の感磁部を並べた磁気センサヘッドと、環境磁気補正部とを備える。複数個の感磁部を並べた磁気センサヘッドは、紙葉類が通過する領域に、前記紙葉類が移動する方向に対して直交する方向に、前記紙葉類の幅よりも長く一列に配置される。環境磁気補正部は、前記紙葉類が通過する領域の内側に位置する前記感磁部が出力する第一の出力信号を検出する第一の磁気検出部と、前記紙葉類が通過する領域の外側のどちらか一方または両方に位置する前記感磁部が出力する第二の出力信号を検出する第二の磁気検出部と、この第二の出力信号に基づいて、前記第一の出力信号を補正する補正部とを有する。
【図面の簡単な説明】
【０００８】
【図１】第一の実施形態による磁気検出装置１０を備える真偽判定装置３０の構成を示す図である。
【図２】第一の実施形態による磁気検出装置１０の磁気センサヘッド１の例を示す図である。
【図３】第一の実施形態による磁気検出装置１０の磁気センサヘッド１の備える感磁部１１の例を示す図である。
【図４】第一の実施形態による磁気検出装置１０の磁気センサヘッド１における感磁部１１の配列例を示す図である。
【図５】第一の実施形態による磁気検出装置１０の磁気センサヘッド１における感磁部１１の他の配列例を示す図である。
【図６】第一の実施形態による磁気検出装置１０の磁気センサヘッド１における感磁部１１の更に他の配列例を示す図である。
【図７】第一の実施形態による磁気検出装置１０の磁気センサヘッド１における感磁部１１の更に他の配列例を示す図である。
【図８】第一の実施形態による磁気検出装置１０の磁気センサヘッド１周辺の搬送構造の例を示す図である。
【図９】補償信号生成部４と環境磁気補正部５の処理におけるデジタル信号の一例を示す図である。
【図１０】第二の実施形態による磁気検出装置１０の磁気センサヘッド１周辺の搬送構造の例を示す図である。
【図１１】第三の実施形態による紙葉類処理装置２０の構成を示す図である。
【発明を実施するための形態】
【０００９】
＜第一の実施形態＞
図１は、第一の実施形態による磁気検出装置１０を備える真偽判定装置３０の構成を示す図である。
図１で示すように、第一の実施形態による磁気検出装置１０は、磁気センサヘッド１と、信号増幅回路２と、Ａ／Ｄ変換回路３と、補償信号生成部４と、環境磁気補正部５とを備える。
また、真偽判定装置３０は、磁気検出装置１０と、磁気検査判定処理部６と、判定基準レベルメモリ７とを備える。
【００１０】
ここで、第一の実施形態による磁気検出装置１０の磁気センサヘッド１は、図２に示すように、複数個の感磁部１１（１１ａ、１１ｂ、１１ｃ、・・・）を並べた磁気センサヘッドである。そして、磁気センサヘッド１において、紙葉類１００に対向し、紙葉類１００が移動する方向に対して直交する方向の紙葉類１００の一端から他端までの通過領域の内側に存在する感磁部１１は、紙葉類１００の磁気的特性を検出する機能部である。また、磁気センサヘッド１において、前述の紙葉類１００の通過領域外に存在する感磁部１１は、周辺環境に依存した磁気ノイズを検出する機能部である。そして、磁気センサヘッド１は、それらの感磁部１１が検出した磁気的特性に応じたアナログ信号を出力する機能部である。なお、個々の感磁部１１ａ、１１ｂ、１１ｃ、・・・の感磁面は同一面上、かつ一直線上に形成されており、感磁部１１はそれらの総称である。
【００１１】
また、信号増幅回路２は、磁気センサヘッド１の各感磁部１１が出力したアナログ信号を増幅する機能部である。
また、Ａ／Ｄ変換回路３は、信号増幅回路２が増幅したアナログ信号をデジタル信号に変換する機能部である。
また、補償信号生成部４は、Ａ／Ｄ変換回路３が変換したデジタル信号に対して時間軸方向に対する急激な変化を取り除く処理を行う機能部である。また、補償信号生成部４は、光学的に紙葉類の通過位置を検出する処理部からの紙葉類の通過位置情報等に基づき、紙葉類１００の通過領域の外側に位置する感磁部１１が出力したアナログ信号に対応するデジタル信号を特定し、環境磁気補正部５へ出力する機能部である。
また、環境磁気補正部５は、光学的に紙葉類の通過位置を検出する処理部からの紙葉類の通過位置情報等に基づき、紙葉類１００の通過領域の内側に配置された感磁部１１が出力したアナログ信号に対応するデジタル信号を特定する機能部である。また、環境磁気補正部５は、補償信号生成部４から入力したデジタル信号に基づいて、環境磁気補正部５の特定したデジタル信号を補正する機能部である。
【００１２】
また、磁気検査判定処理部６は、環境磁気補正部５が出力した補正後のデジタル信号と、判定基準レベルメモリ７が記憶する判定パラメータとに基づいて、紙葉類１００の真偽を判定する機能部である。
また、判定基準レベルメモリ７は、例えば予め設定した紙葉類１００についての真偽判定のパラメータなど、磁気検出装置１０における装置の動作に必要な種々のデータを記憶する記憶部である。
【００１３】
図２は、第一の実施形態による磁気検出装置１０の磁気センサヘッド１の例を示す図である。
この図に示すように、磁気センサヘッド１は複数個の感磁部１１を並べた磁気センサヘッドである。例えば、この図における磁気センサヘッド１は、感磁部１１ａ〜１１ｎの１４個の感磁部を備えている。
またこの図に示す磁気センサヘッド１において、紙葉類１００の通過領域は、紙葉類１００が対向し、紙葉類１００が移動する方向に対して直交する方向の一端から他端までの領域である。すなわち、紙葉類１００の通過領域の内側に存在する磁気センサヘッド１の感磁部１１は１１ｃ〜１１ｋである。そして、この紙葉類１００の通過領域の内側に存在する磁気センサヘッド１の感磁部１１を第一の磁気検出部である第一の感磁部１１１と以下で記述する。また、第一の感磁部１１１が検出する磁気検出結果を第一の磁気検出結果という。また紙葉類１００の通過領域の外側に位置する感磁部１１ａ、１１ｂ、１１ｌ、１１ｍ、１１ｎを第二の磁気検出部である第二の感磁部１１２と以下で記述する。また、第二の感磁部１１２が検出する磁気検出結果を第二の磁気検出結果という。
ただし、磁気センサヘッド１においてどの感磁部１１が第一の感磁部１１１となり第二の感磁部１１２となるかは、紙葉類１００の大きさ、紙葉類１００の通過領域、感磁部１１の数や配置によって異なり、例えば、光学的に紙葉類の通過位置を検出する処理部からの紙葉類の通過位置情報等に基づき決定される。
【００１４】
図３は、第一の実施形態による磁気検出装置１０の磁気センサヘッド１の備える感磁部１１の例を示す図である。
第一の実施形態による磁気検出装置１０の磁気センサヘッド１の備える感磁部１１は、例えば半導体磁気抵抗素子（ＳＭＲＥ）を備える。この感磁部１１は、この図で示すように、インジウムアンチモン単結晶（ＩｎＳｂ）半導体等の磁気抵抗素子Ｒ１とＲ２の２つを並べ、その磁気抵抗素子Ｒ１とＲ２の近傍背面に永久磁石を配置するものである。この感磁部１１において、永久磁石のバイアス磁界を掛けて磁性体が磁気抵抗素子に対して平行な位置を移動すると、永久磁石の磁力線が変化して磁気抵抗素子の抵抗値が変化する。つまり、感磁部１１では、２つの磁気抵抗素子の抵抗値の差分を電気信号として取り出している。
【００１５】
また、感磁部１１は、例えば、ニッケル（Ｎｉ）、鉄（Ｆｅ）などの強磁性金属を主成分とする合金の薄膜を紙葉類とで挟む位置に永久磁石を配置するものであってもよい。そして、その永久磁石により薄膜にバイアス磁界を掛けた状態において、磁性体が平行な位置を移動することによるバイアス磁力線の変化である２つの磁気抵抗素子の抵抗値の差分を電気信号として取り出してもよい。
【００１６】
図４は、第一の実施形態による磁気検出装置１０の磁気センサヘッド１における感磁部１１の配列例を示す図である。
図５は、第一の実施形態による磁気検出装置１０の磁気センサヘッド１における感磁部１１の他の配列例を示す図である。
図６は、第一の実施形態による磁気検出装置１０の磁気センサヘッド１における感磁部１１の更に他の配列例を示す図である。
図７は、第一の実施形態による磁気検出装置１０の磁気センサヘッド１における感磁部１１の更に他の配列例を示す図である。
【００１７】
磁気センサヘッド１は、図４〜図７に示すように、磁気的特性を検出する様々な数の感磁部１１を備えている可能性がある。それらの感磁部１１は、紙葉類１００が移動する方向に対して直交する方向に一列に配置される。一列に配置される感磁部１１の感磁面は、紙葉類１００の全領域の磁気的特性を検出できるように配置される。また、一列に配置される感磁部１１の感磁面は、紙葉類１００の通過領域の外側の磁気的特性を検出できるように配置される。
【００１８】
このように、磁気センサヘッド１は、個別に感磁領域を持つ感磁部１１を一列に並べ、紙葉類１００の通過領域の内側と通過領域の外側に同様の感磁部１１を並べる構造とする。つまり、磁気センサヘッド１において、紙葉類１００が磁気センサヘッド１を通過した際の磁気的特性を検出する感磁部１１と、紙葉類１００が磁気センサヘッド１を通過した際の周辺環境に依存する磁気ノイズを検出する感磁部１１を一列に配置する。
理想的には紙葉類１００が通過する領域の第一の感磁部１１１の外側に少なくとも１つ以上の周辺環境に依存する磁気ノイズを検出するための第二の感磁部１１２を配置するのがよい。
【００１９】
例えば、図４は、紙葉類１００が磁気センサヘッド１の１２個の感磁部１１のうち８個の感磁部１１ａ〜１１ｈの領域を通過する場合を示している。この場合、第一の感磁部１１１は、感磁部１１ａ〜１１ｈとなる。そして、磁気ノイズを検出する第二の感磁部１１２は、感磁部１１ｉ〜１１ｌとなる。
【００２０】
また、図５は、紙葉類１００が磁気センサヘッド１の１２個の感磁部のうち８個の感磁部１１ｃ〜１１ｊの領域を通過する場合を示している。この場合、第一の感磁部１１１は、感磁部１１ｃ〜１１ｊとなる。そして、磁気ノイズを検出する第二の感磁部１１２は、感磁部１１ａ、１１ｂ、１１ｋ、１１ｌとなる。
【００２１】
同様に、図６は、紙葉類１００が磁気センサヘッド１の１２個の感磁部のうち１０個の感磁部１１ａ〜１１ｊの領域を通過する場合を示している。この場合、第一の感磁部１１１は、感磁部１１ａ〜１１ｊとなる。そして、磁気ノイズを検出する第二の感磁部１１２は、感磁部１１ｋ、１１ｌとなる。
【００２２】
また同様に、図７は、紙葉類１００が磁気センサヘッド１の１４個の感磁部のうち１０個の感磁部１１ｃ〜１１ｌの領域を通過する場合を示している。この場合、第一の感磁部１１１は、感磁部１１ｃ〜１１ｌとなる。そして、磁気ノイズを検出する第二の感磁部１１２は、感磁部１１ａ、１１ｂ、１１ｍ、１１ｎとなる。
【００２３】
紙葉類１００が一種類である場合や通過位置を制御できる場合には、その紙葉類１００の通過領域はほぼ固定されるため、その通過領域の外側に磁気ノイズ検出専用の感磁部１１を配置してもよい。また、数種類の紙葉類１００が混在する場合や、紙葉類１００が一種類であっても磁気センサヘッド１上の通過領域がばらつく場合には、図示していない他の検出手段やセンサを用いて紙葉類の通過位置を検出し、第一の感磁部１１１と第二の感磁部１１２とを判定すればよい。例えば、光学的に紙葉類の通過位置を検出する処理部からの紙葉類の通過位置情報を取得し、その情報に基づいて、磁気センサヘッド１における紙葉類１００の通過領域の内側と通過領域の外側とを判定してもよい。また、磁気センサヘッド１の直前に紙葉類１００の有無を検出する近接センサを備える。そして、その近接センサが検出した紙葉類１００の有無に基づいて、磁気センサヘッド１における紙葉類１００の通過領域の内側と通過領域の外側とを判定してもよい。
【００２４】
図８は、第一の実施形態による磁気検出装置１０の磁気センサヘッド１周辺の搬送構造の例を示す図である。
図８において、（ａ）は、第一の実施形態による磁気検出装置１０の磁気センサヘッド１の周辺を上面から見た場合の搬送構造の例を示す図である。
また、図８において、（ｂ）は、第一の実施形態による磁気検出装置１０の磁気センサヘッド１の周辺を正面から見た場合の搬送構造の例を示す図である。
【００２５】
この図で示すように、第一の実施形態による磁気検出装置１０は、磁気センサヘッド１の周辺に、搬送ローラ１６と、搬送ベルト１７と、搬送補助ローラ１８と、を備えている。
第一の実施形態による磁気検出装置１０は、搬送の上流から下流へと搬送ベルト１７に挟持され移動する紙幣等の紙葉類１００を放出し、磁気センサヘッド１により紙葉類１００の磁気印刷情報を読み取り、再び搬送ベルト１７に挟持し、紙葉類１００を移動させる構造をしている。
図８では、磁気センサヘッド１における感磁部１１の感磁面を紙葉類が通過する際の、搬送補助の目的で搬送補助ローラ１８を配置し、搬送ベルト１７から放たれた紙葉類１００を停滞させず、反対側の搬送ベルト１７に挟持させる役割を果たしている。同時に、搬送補助ローラ１８は、磁気センサヘッド１における感磁部１１の感磁面上部での紙葉類１００の通過位置を抑制する働きを果たす。この搬送補助ローラ１８は、紙葉類１００を停滞させず、かつ、磁気センサヘッド１と紙葉類１００との距離すなわち検出ギャップを一定以内に制限しながら搬送させる機能を果たしている。
搬送補助ローラ１８は、非磁性材料で実現され、搬送ベルト１７によるベルト搬送速度と同等の外周速度で回転することで紙葉類１００を移動させる補助動力を生み出す。
【００２６】
ここで、第一の実施形態による磁気検出装置１０を備える真偽判定装置３０が行う処理の例を説明する。
なお、ここでは、上流に配置された検査装置が光学的に紙葉類の通過位置を検出し、第一の感磁部１１１と第二の感磁部１１２は、その検査装置から受信した紙葉類の通過位置情報に基づき決定される場合を例に説明する。
【００２７】
まず、ユーザが紙葉類１００を所定の箇所にセットする。すると、磁気検出装置１０の上流に配置された検査装置が、後述する第三の実施形態で示すような検査や処理を紙葉類１００に対して行う。そして、磁気検出装置１０の上流に配置された検査装置は、その紙葉類１００を磁気検出装置１０に搬出する。
【００２８】
磁気検出装置１０が磁気検出装置１０の上流に配置された検査装置から紙葉類１００を搬入すると、磁気検出装置１０の搬送ベルト１７は、紙葉類１００を挟持する。そして、例えば図８について説明したように、搬送ベルト１７は、挟持した紙葉類１００を放出し、搬送補助ローラ１８を介して紙葉類１００を停滞させずに反対側の搬送ベルト１７へと紙葉類１００を搬送する。
【００２９】
磁気センサヘッド１の備える感磁部１１は、この搬送途中に紙葉類１００が磁気センサヘッド１を通過した際の磁気的特性を検出する。そして、磁気センサヘッド１は、磁気センサヘッド１におけるそれぞれの感磁部１１が検出した磁気的特性のアナログ信号を信号増幅回路２に出力する。
【００３０】
信号増幅回路２は、磁気センサヘッド１からアナログ信号を入力すると、後段のＡ／Ｄ変換回路３の処理で必要となる信号振幅となるように、信号増幅回路２の各増幅器で入力したそれぞれのアナログ信号を増幅する。そして、信号増幅回路２は、増幅したそれぞれのアナログ信号をＡ／Ｄ変換回路３に出力する。
【００３１】
Ａ／Ｄ変換回路３は、信号増幅回路２から、増幅したアナログ信号を入力すると、入力したそれぞれのアナログ信号を所定のタイミングでサンプリングする。そして、Ａ／Ｄ変換回路３は、例えばサンプリングした信号とリファレンス信号とを比較して、サンプリングした信号をデジタル信号に変換する。そして、Ａ／Ｄ変換回路３は、変換されたそれぞれのデジタル信号を補償信号生成部４と環境磁気補正部５に出力する。なお、ここでのＡ／Ｄ変換回路３は、アナログ信号からデジタル信号へ必要な精度で変換できる回路であればよく、回路方式は限定しない。
【００３２】
補償信号生成部４は、Ａ／Ｄ変換回路３からそれぞれの磁気的特性のデジタル信号を入力する。すると、補償信号生成部４は、入力したそれぞれの磁気的特性のデジタル信号に対して時間軸方向に複数サンプルで平均化する「移動平均」処理や「スムージング」処理を行うことで信号の時間に対する急激な変動を緩やかにするローパスフィルタと同等の処理を行う。また、補償信号生成部４は、さらにローパスフィルタと同等の処理を行ったデジタル信号の「平均値」を算出し、記憶部に記録する。
【００３３】
また、環境磁気補正部５は、Ａ／Ｄ変換回路３からそれぞれの磁気的特性のデジタル信号を入力する。すると、環境磁気補正部５は、入力したそれぞれの磁気的特性のデジタル信号を記憶部に記録する。
【００３４】
磁気検出装置１０の上流に配置された検査装置は、光学的に紙葉類１００の通過位置を検出した結果である通過位置情報を所定のタイミングで補償信号生成部４と環境磁気補正部５に送信する。
【００３５】
補償信号生成部４は、検査装置から通過位置情報を受信すると、その通過位置情報に基づいて、各紙葉類１００が磁気センサヘッド１のどの領域を通過したかを特定する。そして、補償信号生成部４は、特定した紙葉類１００の通過領域の外側に位置する第二の感磁部１１２を特定する。
【００３６】
補償信号生成部４は、第二の感磁部１１２を特定すると、記憶部に記録したローパスフィルタと同等の処理を行ったデジタル信号のうち、その特定した第二の感磁部１１２が出力したデータ（第二の出力信号）を記憶部から読み出す。ここで、補償信号生成部４が読み出したデータは、紙葉類１００の通過領域の外側に位置する感磁部１１が検出した磁気的特性であり、周辺環境に依存する磁気ノイズを示す。そして、補償信号生成部４は、記憶部から読み出した周辺環境に依存する磁気ノイズを示すデータを環境磁気補正部５に出力する。
【００３７】
また、環境磁気補正部５は、検査装置から紙葉類１００についての通過位置情報を受信すると、その通過位置情報に基づいて、紙葉類１００が磁気センサヘッド１のどの領域を通過したかを特定する。そして、補償信号生成部４は、特定した紙葉類１００の通過領域の内側に位置する第一の感磁部１１１を特定する。
【００３８】
環境磁気補正部５は、第一の感磁部１１１を特定すると、記憶部に記録したデジタル信号のうち、特定した第一の感磁部１１１が出力したデータ（第一の出力信号）を記憶部から読み出す。ここで、環境磁気補正部５が読み出したデータは、紙葉類１００の通過領域の内側に位置する感磁部１１が検出した磁気的特性であり、周辺環境に依存する磁気ノイズを含んだ紙葉類１００の磁気的特性を示す。そして、環境磁気補正部５は、記憶部から読み出した紙葉類１００の磁気的特性を示すデータから、補償信号生成部４から入力したあるいは入力する周辺環境に依存する磁気ノイズを示すデータを減算する。この環境磁気補正部５が行う減算により、第一の感磁部１１１が検出した周辺環境に依存する磁気ノイズを含んだ紙葉類１００の磁気的特性から第二の感磁部１１２が検出した周辺環境に依存する磁気ノイズを取り除くことができる。そのため、紙葉類１００の磁気的特性が特定できる。
そして、環境磁気補正部５は、その減算した結果を磁気検査判定処理部６に出力する。
【００３９】
なお、補償信号生成部４は、紙葉類１００が移動する方向に対して直交する方向の一端と他端のそれぞれに対応する第一の感磁部１１１に隣接する第二の感磁部１１２を特定する。そして、補償信号生成部４は、その特定したそれぞれの第二の感磁部１１２が検出した磁気的特性に対応するデジタル信号に対して、それぞれ移動平均の処理や平均値を求める処理を行ってもよい。こうすることで、補償信号生成部４は、磁気センサヘッド１における感磁部１１の配列方向に沿っての磁気ノイズの勾配を含めた補償信号を生成することができる。そして、環境磁気補正部５は、補償信号生成部４が生成した磁気センサヘッド１における感磁部１１の配列方向に沿っての磁気ノイズの勾配を含めた補償信号を用いて減算する処理を行ってもよい。すなわち、例えば、環境磁気補正部５は、補償信号生成部４が生成した補償信号を磁気センサヘッド１方向の距離に応じて直線近似する。そして、環境磁気補正部５は、各感磁部１１はその距離に応じた補償信号を用いて減算処理を行えばよい。
【００４０】
図９は、補償信号生成部４と環境磁気補正部５の処理におけるデジタル信号の一例を示す図である。
図９において、（ａ）は、環境磁気補正部５が特定した第一の感磁部１１１が検出した周辺環境に依存する磁気ノイズを含んだ紙葉類１００の磁気的特性を示すデジタル信号である。
また、図９において、（ｂ）は、補償信号生成部４が特定した第二の感磁部１１２が検出した周辺環境に依存する磁気ノイズを示すデジタル信号である。
また、図９において、（ｃ）は、補償信号生成部４が特定した第二の感磁部１１２が検出した周辺環境に依存する磁気ノイズを示すデジタル信号に対してローパスフィルタと同等の処理を行った後のデジタル信号である。
また、図９において、（ｄ）は、（ａ）で示した第一の感磁部１１１が検出した周辺環境に依存する磁気ノイズを含んだ紙葉類１００の磁気的特性を示すデジタル信号から、（ｃ）で示した周辺環境に依存する磁気ノイズを示すデジタル信号に対してローパスフィルタと同等の処理を行った後のデジタル信号を減じた信号である。このデジタル信号は、紙葉類１００のみの磁気的特性を示している。
【００４１】
ここまでが磁気検出装置１０が行う処理である。磁気検出装置１０がこのような信号処理を行うことで、周辺環境に依存する磁気ノイズを含む第一の感磁部１１１の検出した信号から第二の感磁部１１２が検出した磁気ノイズを取り除いた、紙葉類１００のみの磁気的特性を特定することができる。
【００４２】
次に、磁気検査判定処理部６は、環境磁気補正部５から第一のデジタル信号から磁気ノイズを示すデジタル信号を減算したデジタル信号を入力する。すると、磁気検査判定処理部６は、判定基準レベルメモリ７から予め記録した真偽判定のパラメータを読み出す。そして、磁気検査判定処理部６は、読み出した真偽判定のパラメータと環境磁気補正部５から入力したデジタル信号とを比較し、例えば二乗平均値を求め、その値が所定の範囲に入っている場合に紙葉類１００が本物であると判定する。また、磁気検査判定処理部６は、読み出した真偽判定のパラメータと環境磁気補正部５から入力したデジタル信号とを比較し、二乗平均値を求め、その値が所定の範囲に入っていない場合に紙葉類１００が偽物であると判定する。
以上が第一の実施形態による磁気検出装置１０を備える真偽判定装置３０が行う処理である。
なお、磁気検査判定処理部６は、補償信号生成部４が生成した磁気センサヘッド１における感磁部１１の配列方向に沿っての磁気ノイズの勾配を含めた補償信号を用いて補正したデータを用いて判定してもよい。
【００４３】
なお、第一の実施形態による磁気検出装置１０において、第二の感磁部１１２を既知の技術で用いられている温度補正のためのセンサとして使用してもよい。
【００４４】
以上のように、第一の実施形態による磁気検出装置１０は、紙葉類１００が通過領域に位置する磁気センサヘッド１における第一の感磁部１１１が検出した磁気検出結果（第一の出力信号）と、紙葉類１００が通過領域の外側に位置する磁気センサヘッド１における第二の感磁部１１２が検出した磁気検出結果（第二の出力信号）とに基づいて、周辺環境に依存する磁気ノイズを含んだ紙葉類１００の磁気的特性を示すデジタル信号から周辺環境に依存する磁気ノイズを示すデジタル信号を減算する。
こうすることで、第一の実施形態による磁気検出装置１０は、紙葉類１００のみの磁気的特性を特定でき、より高精度に検出することができる。
また、第一の実施形態による磁気検出装置１０を備える真偽判定装置３０は、磁気検出装置１０により高精度で検出した紙葉類１００の磁気的特性に基づいて、より高精度な磁気的特性と比較することができ、真偽の判定精度を高めることができる。
【００４５】
＜第二の実施形態＞
第二の実施形態による磁気検出装置１０の構成は、第一の実施形態と同様の構成である。
また、第二の実施形態による磁気検出装置１０を備える真偽判定装置３０は、第一の実施形態と同様の構成である。
ただし、第二の実施形態による磁気検出装置１０において、磁気センサヘッド１は磁気シールドされている。
【００４６】
図１０は、第二の実施形態による磁気検出装置１０の磁気センサヘッド１周辺の搬送構造の例を示す図である。
図１０において、（ａ）は、第二の実施形態による磁気検出装置１０の磁気センサヘッド１の周辺を上面から見た場合の搬送構造の例を示す図である。
また、図１０において、（ｂ）は、第二の実施形態による磁気検出装置１０の磁気センサヘッド１の周辺を側面から見た場合の搬送構造の例を示す図である。
【００４７】
この図で示すように、第二の実施形態による磁気検出装置１０は、第一の実施形態による磁気検出装置１０の構成に加え、強磁性体材料を用いた磁気シールド構造体であるシールドカバー１９を備えている。
【００４８】
磁気シールド１９は、磁気センサヘッド１の感磁部１１が磁気的特性を検出する際に周辺磁界環境の影響を抑制するために、感磁部１１の感磁面方向の１面を除く側面および背面を含む５面を鉄等の透磁率の高い材料で囲む構造である。なお、感磁部１１の感磁面は、検査対象の紙幣等の紙葉類１００が通過する面を解放にして、紙葉類１００の通過搬送路方向に設置する。
【００４９】
また、磁気シールド構造１９は、搬送補助ローラ１８を含め囲い込む構造である。そのため、磁気センサヘッド１の背面などから伝達されるベアリングなどの回転駆動に起因する磁気ノイズによる磁気的特性の検出への影響を抑制することができる。
【００５０】
また、磁気シールド構造１９は、近傍の磁界発生源の狭域磁界（狭域の磁力線）をシールド材内部に引き込み、磁気シールド構造１９の内部の磁気センサヘッド１における感磁部１１の感磁面やバイアス磁界領域に侵入する狭域の磁力線の影響を低減する。また、磁気シールド構造１９は、磁気センサヘッド１の感磁部１１で集中している磁力線分布を均一化する効果もあり、感磁部１１毎に影響差が出るような周辺磁界環境の場合でも、各感磁部１１に均等に磁界影響が及ぶように緩和させる働きを有している。
【００５１】
また、磁気シールド構造１９は、近傍狭域磁界による感磁部１１の磁気的特性の検出への影響を低減すると共に、均一化することができる。同様に、磁気シールド構造１９は、装置内の磁界源であるモータやトランス等の強磁界による感磁部１１の磁気的特性の検出への影響も減衰すると共に、均一化させることができる。
【００５２】
従って、第一の実施形態と同様の磁気検出装置１０の機能部に加え、更にシールドカバー１９を備える第二の実施形態による磁気検出装置１０では、磁気センサヘッド１の周囲をシールドカバー１９でシールドすることで、磁気センサヘッド１周辺での狭域の磁界による感磁部１１の磁気的特性の検出への影響を減衰緩和する。また、磁気センサヘッド１の周囲をシールドカバー１９でシールドすることで、磁気センサヘッド１の遠方にある広域で強度の磁界による感磁部１１の磁気的特性の検出への影響を減衰緩和し、環境磁界による各感磁部１１への影響を均等にすることができる。
こうすることで、第一の実施形態による磁気検出装置１０は、磁気センサヘッド１の感磁部１１の検出精度が向上し、取得信号品質である信号Ｓ／Ｎ比を向上させることが可能となるため、紙葉類１００のみの磁気的特性を特定でき、より高精度に検出することができる。
また、第一の実施形態による磁気検出装置１０を備える真偽判定装置３０は、磁気検出装置１０により高精度で検出した紙葉類１００の磁気的特性に基づいて、より高精度な磁気的特性と比較することができ、真偽の判定精度を高めることができる。
【００５３】
＜第三の実施形態＞
図１１は、第三の実施形態による紙葉類処理装置２０の構成を示す図である。
第三の実施形態において、紙葉類１００として紙幣を例に説明する。
第三の実施形態による紙葉類処理装置２０は、第一の実施形態による磁気検出装置１０を備える真偽判定装置３０（磁気センサヘッド１、信号増幅回路２、Ａ／Ｄ変換回路３、補償信号生成部４、環境磁気補正部５、磁気検査判定処理部６、判定基準レベルメモリ７）と、検査装置２１〜２４と、検査装置総合判定処理部２５と、区分制御部２６と、紙幣処理機制御メイン２７と、を備える。
【００５４】
ここで、第三の実施形態による紙葉類処理装置２０の備える検査装置２１〜２４は、紙葉類１００の状態に応じて真偽／廃棄／再流通／排除を区分するための検査を実施する装置である。例えば、検査装置２１〜２４は、紙葉類１００の切れを検出する切れ検出装置、紙葉類１００の厚みを検出する厚み検査装置、紙葉類１００の形状や透かしを検出する形状・透かし装置、紙葉類１００の光学パターンを判定する光学パターン判定装置などである。
また、検査装置総合判定処理部２５は、検査装置２１〜２４および磁気検出装置１０の検査結果に基づいて、紙葉類１００の真偽や劣化の程度を特定する処理部である。また、検査装置総合判定処理部２５は、検査装置２１〜２４や磁気検出装置１０における紙葉類１００の搬送を制御する処理部である。この検査装置総合判定処理部２５が行う制御により、磁気検出装置１０は、紙葉類１００が磁気センサヘッド１のどの位置を通過するかがわかる。そして、検査装置総合判定処理部２５による制御が高精度の場合には、磁気検出装置１０は、第一の感磁部１１１と第二の感磁部１１２とを事前に特定できる。
また、区分制御部２６は、検査装置総合判定処理部２５が特定した真偽や劣化の程度に基づいて、廃棄／再流通／排除の何れかに区分する処理部である。
また、紙幣処理機制御メイン２７は、区分制御部２６が区分した廃棄、再流通、排除の処理を実行する処理部である。
【００５５】
ここで、第三の実施形態による紙葉類処理装置２０の処理の例を説明する。
まず、ユーザが紙葉類１００を所定の箇所にセットする。その後、装置を稼働すると、紙葉類１００を１枚ずつ取出し搬送し、検査装置２１、検査装置２２、検査装置２３、磁気検出装置１０、検査装置２４の順番で紙葉類１００が通過し、それぞれの検査処理を実施する。
【００５６】
検査装置２１では、紙葉類１００の切れを検査する。
検査装置２１は、例えば、紙葉類１００が搬送される搬送路上にローラ等の機構を備え、この機構により紙葉類１００の端部に存在する切れ目を開かせる。そして、検査装置２１は、開かれた切れ目を通過する光によって切れ目の有無を検査する。この切れ目検査は、再流通に適さない紙葉類１００を検出するためのものである。ここで、紙葉類１００に切れ目が検出された場合、検査装置総合判定処理部２５に報知する。
【００５７】
検査装置２２では、紙葉類１００の厚さを検査する。
検査装置２２は、例えば、紙葉類１００が搬送される搬送路上に厚み検知センサなどで紙葉類１００の厚さを検出する機構を備える。そして、検査装置２２は、検出した厚さから所定の厚さの範囲内にあるか否かを判定する。
この検査は、紙葉類１００の厚さが所定以上である場合は２枚以上の紙葉類が重なっていると判断し、その結果を検査装置総合判定処理部２５に報知する。
【００５８】
検査装置２３では、紙葉類１００の形状や透かしを検査する。
検査装置２３は、例えば、紙葉類１００が搬送される搬送路上において紙葉類１００の透過光画像の特徴を検出する機構を備える。そして、検査装置２３は、検出した特徴と本物の特徴とを比較してその結果を検査装置総合判定処理部２５に報知する。
検査装置２４では光学パターンを検査する。
検査装置２４は、例えば、紙葉類１００が搬送される搬送路上において紙葉類１００の反射光画像の特徴を検出する機構を備える。そして、検査装置２４は、検出した特徴と本物の特徴とを比較してその結果を検査装置総合判定処理部２５に報知する。
【００５９】
磁気検出装置１０では、紙葉類１００の磁気的特性の検出により真偽を検査する。
ここで磁気検出装置１０を備える真偽判定装置３０が行う真偽の判定は、例えば、第一の実施形態で示した処理による真偽の判定である。そのため、ここでの詳細な説明は省略する。
なお、磁気検出装置１０を備える真偽判定装置３０が判定した結果は、検査装置総合判定処理部２５に報知する。
検査装置総合判定処理部２５は、検査装置２１〜２４及び真偽判定装置３０から報知された結果に基づいて、搬送される紙葉類１００が真券であるか／廃棄すべきか／再流通すべきか／排除すべきかを総合的に判定する。検査装置総合判定処理部２５は、この判定結果を区分制御部２６に報知する。
区分制御部２６は、その報知情報に基づいて、紙葉類１００の区分先を決定する。
【００６０】
以上のように、第三の実施形態による紙葉類処理装置２０は、紙葉類１００に対する廃棄／再流通／排除のための検査の１つとして、第一の実施形態による磁気検出装置１０を備える真偽判定装置３０による検査を実施する。
こうすることで、第三の実施形態による紙葉類処理装置２０の磁気検出装置１０は、紙葉類１００の磁気を高精度に検出することができる。
そのため、第三の実施形態による磁気検出装置１０を備える真偽判定装置３０を備える紙葉類処理装置２０は、高精度で検出した紙葉類１００の磁気的特性に基づいて、高精度な磁気的特性と比較することができ、真偽の判定精度を高めることができる。
なお、紙葉類処理装置２０としては、このような紙葉類１００に対する廃棄／再流通／排除するものに限定されず、少なくとも紙葉類１００の磁気情報に基づいて真偽を判定して区分できるものであればよい。
【００６１】
以上述べた少なくともひとつの実施形態の磁気検出装置１０によれば、紙葉類１００が通過領域に位置する磁気センサヘッド１における第一の感磁部１１１が検出した磁気検出結果（第一の出力信号）と、紙葉類１００が通過領域の外側に位置する磁気センサヘッド１における第二の感磁部１１２が検出した磁気検出結果（第二の出力信号）とに基づいて、周辺環境に依存する磁気ノイズを含んだ紙葉類１００の磁気的特性を示すデジタル信号から周辺環境に依存する磁気ノイズを示すデジタル信号を減算する。
こうすることで、第一の実施形態による磁気検出装置１０は、紙葉類１００のみの磁気的特性を特定でき、より高精度に検出することができる。
また、第一の実施形態による磁気検出装置１０を備える真偽判定装置３０は、磁気検出装置１０により高精度で検出した紙葉類１００の磁気的特性に基づいて、より高精度な磁気的特性と比較することができ、真偽の判定精度を高めることができる。
【００６２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６３】
１・・・磁気センサヘッド
２・・・信号増幅回路
３・・・Ａ／Ｄ変換回路
４・・・補償信号生成部
５・・・環境磁気補正部
６・・・磁気検査判定処理部
７・・・判定基準レベルメモリ
１０・・・磁気検出装置
１１・・・感磁部
１６・・・搬送ローラ
１７・・・搬送ベルト
１８・・・搬送補助ローラ
１９・・・シールドカバー
２０・・・紙葉類処理装置
２１・・・検査装置
２２・・・検査装置
２３・・・検査装置
２４・・・検査装置
２５・・・検査装置総合判定処理部
２６・・・区分制御部
２７・・・紙幣処理機制御メイン
３０・・・真偽判定装置
１００・・・紙葉類
１１１・・・第一の感磁部
１１２・・・第二の感磁部
【図１】
2015034794.tif 000003
【図２】
2015034794.tif 000004
【図３】
2015034794.tif 000005
【図４】
2015034794.tif 000006
【図５】
2015034794.tif 000007
【図６】
2015034794.tif 000008
【図７】
2015034794.tif 000009
【図８】
2015034794.tif 000010
【図９】
2015034794.tif 000011
【図１０】
2015034794.tif 000012
【図１１】
2015034794.tif 000013